(57)【要約】【課題】室内機と室外機との間を流通する熱媒体を有効利用して、トイレの冷暖房を行うことができる温調設備を提供する。【解決手段】温調設備は、室外機から室内機へトイレを経由して接続され、熱媒体を流通させる熱媒体用配管と、前記トイレに設けられ、前記熱媒体用配管の外周で流通する流体と前記熱媒体とで熱交換する熱交換器と、前記トイレに設けられ、前記流体によって冷却又は加熱され、輻射により前記トイレの室内を冷暖房する放熱器と、を備える。【選択図】図２
2014137175.tif 000002
【特許請求の範囲】
【請求項１】
室外機から室内機へトイレを経由して接続され、熱媒体を流通させる熱媒体用配管と、
前記トイレに設けられ、前記熱媒体用配管の外周で流通する流体と前記熱媒体とで熱交換する熱交換器と、
前記トイレに設けられ、前記流体によって冷却又は加熱され、輻射により前記トイレの室内を冷暖房する放熱器と、
を備える温調設備。
【請求項２】
前記熱媒体用配管は、
前記室内機が配置された建物内における前記トイレを除く部分を冷暖房するための空調用の配管である請求項１に記載の温調設備。
【請求項３】
前記流体を前記熱媒体用配管と前記放熱器との間で循環させるための循環配管を備える請求項１又は２に記載の温調設備。
【請求項４】
前記循環配管に設けられ、前記流体を循環させる循環ポンプを備える請求項３に記載の温調設備。
【請求項５】
前記流体は、前記熱媒体用配管の外周を覆う断熱材と前記熱媒体用配管との間を流通し、
前記熱交換器は、前記断熱材と前記熱媒体用配管との間において、前記流体と前記熱媒体とで熱交換する請求項１〜４のいずれか１項に記載の温調設備。
【請求項６】
前記放熱器の近傍に設けられ、前記熱交換器の稼働及びその停止を操作するための操作部を備える請求項１〜５のいずれか１項に記載の温調設備。
【請求項７】
前記熱媒体用配管は、トイレ用給水配管及びトイレ用汚水配管と共に、前記トイレの側部に設けられた配管スペースに配置されている請求項１〜６のいずれか１項に記載の温調設備。
【請求項８】
前記放熱器は、便器の側方にある腰壁に設けられている請求項１〜７のいずれか１項に記載の温調設備。
【請求項９】
前記トイレは、建物の２階に設置され、
前記室内機は、前記建物の２階以上に設置されている請求項１〜８のいずれか１項に記載の温調設備。
【発明の詳細な説明】
【技術分野】
【０００１】
本発明は、建物の室内などの温度を調節する温調設備に関する。
【背景技術】
【０００２】
特許文献１には、建物内に配置された室内機（空調装置）から通気ダクトを介して居室や廊下に空調空気を供給して冷暖房を行う構成が開示されている。この構成では、廊下に空調空気を供給する通気ダクトが、トイレを経由して設けられており、当該通気ダクトを流れる空調空気とトイレの空気との間で熱交換して、トイレの冷暖房を行うようになっている。
【先行技術文献】
【特許文献】
【０００３】
【特許文献１】特開２０１２−９７９８０号公報
【発明の概要】
【発明が解決しようとする課題】
【０００４】
前述のように、特許文献１の構成では、室内機（空調装置）から廊下へ流通する空調空気との熱交換により、トイレ室内の冷暖房を行っており、室内機と室外機との間を流通する熱媒体を利用するものではなかった。
【０００５】
本発明は、上記事実を考慮し、室内機と室外機との間を流通する熱媒体を有効利用して、トイレの冷暖房を行うことができる温調設備を提供することを課題とする。
【課題を解決するための手段】
【０００６】
請求項１に記載の温調設備は、室外機から室内機へトイレを経由して接続され、熱媒体を流通させる熱媒体用配管と、前記トイレに設けられ、前記熱媒体用配管の外周で流通する流体と前記熱媒体とで熱交換する熱交換器と、前記トイレに設けられ、前記流体によって冷却又は加熱され、輻射により前記トイレの室内を冷暖房する放熱器と、を備える。
【０００７】
この構成によれば、熱媒体用配管を通じて、室外機から室内機へトイレを経由して、熱媒体が流通する。この熱媒体と、熱媒体用配管の外周で流通する流体との熱交換が、熱交換器によって行われる。熱交換がなされた流体によって、放熱器が冷却又は加熱される。そして、この放熱器が、輻射によりトイレの室内を冷暖房する。
【０００８】
このように、請求項１の構成では、室外機と室内機との間を流通する熱媒体を有効利用して、トイレの冷暖房を行うことができる。
【０００９】
請求項２に記載の温調設備は、前記熱媒体用配管は、前記室内機が配置された建物内における前記トイレを除く部分を冷暖房するための空調用の配管である。
【００１０】
この構成によれば、建物内におけるトイレを除く部分を冷暖房するための空調用の配管を通じて流通する熱媒体を利用して、トイレの室内を冷暖房できる。このため、トイレの室内の冷暖房専用に熱媒体配管を設ける場合に比べ、部品点数が増加することなく、トイレの冷暖房を行うことができる。
【００１１】
請求項３に記載の温調設備は、前記流体を前記熱媒体用配管と前記放熱器との間で循環させるための循環配管を備える。
【００１２】
この構成によれば、循環配管を通じて、流体を熱媒体用配管と放熱器との間で循環させるので、熱媒体と放熱器との間での熱移動を円滑に行うことができる。
【００１３】
請求項４に記載の温調設備は、前記循環配管に設けられ、前記流体を循環させる循環ポンプを備える。
【００１４】
この構成によれば、駆動ポンプを駆動制御することで、熱媒体用配管と放熱器との間での流体の循環及びその停止を容易に制御できる。
【００１５】
請求項５に記載の温調設備は、前記流体は、前記熱媒体用配管の外周を覆う断熱材と前記熱媒体用配管との間を流通し、前記熱交換器は、前記断熱材と前記熱媒体用配管との間において、前記流体と前記熱媒体とで熱交換する。
【００１６】
この構成によれば、流体が、熱媒体用配管と断熱材との間に挟まれるので、流体における熱損失が抑制される。
【００１７】
請求項６に記載の温調設備は、前記放熱器の近傍に設けられ、前記熱交換器の稼働及びその停止を操作するための操作部を備える。
【００１８】
この構成によれば、操作者が、放熱器の近傍で操作部を操作することになるので、放熱器からの温感又は冷感を操作者が受けながら、操作部を操作することができる。
【００１９】
請求項７に記載の温調設備は、前記熱媒体用配管は、トイレ用給水配管及びトイレ用汚水配管と共に、前記トイレの側部に設けられた配管スペースに配置されている。
【００２０】
この構成によれば、熱媒体用配管が、トイレ用給水配管及びトイレ用汚水配管と共に、トイレの側部に設けられた配管スペースに集約される。このため、省スペース化が図れる。
【００２１】
請求項８に記載の温調設備は、前記放熱器は、便器の側方にある腰壁に設けられている。
【００２２】
この構成によれば、便器を使用する使用者に対して、放熱器からの温感又は冷感を効果的に生じさせることができる。
【００２３】
請求項９に記載の温調設備は、前記トイレは、建物の２階に設置され、前記室内機は、前記建物の２階以上に設置されている。
【００２４】
この構成によれば、建物の２階以上に設置された室内機に接続される熱媒体用配管が、建物の２階に設置されたトイレを経由することになる。このため、建物１階に設置された室内機に接続される熱媒体用配管を、建物の２階に設置されたトイレに経由させる場合に比べ、熱媒体用配管を長く引き回す必要がなくなる。
【発明の効果】
【００２５】
請求項１に記載の構成によれば、室外機と室内機との間を流通する熱媒体を有効利用して、トイレの冷暖房を行うことができる。
【００２６】
請求項２に記載の構成によれば、部品点数が増加することなく、トイレの冷暖房を行うことができる。
【００２７】
請求項３に記載の構成によれば、熱媒体と放熱器との間での熱移動を円滑に行うことができる。
【００２８】
請求項４に記載の構成によれば、熱媒体用配管と放熱器との間での流体の循環及びその停止を容易に制御できる。
【００２９】
請求項５に記載の構成によれば、流体における熱損失が抑制される。
【００３０】
請求項６に記載の構成によれば、放熱器からの温感又は冷感を操作者が受けながら、操作部を操作することができる。
【００３１】
請求項７に記載の構成によれば、熱媒体用配管、トイレ用給水配管及びトイレ用汚水配管を配管スペースに集約することで、省スペース化が図れる。
【００３２】
請求項８に記載の構成によれば、便器を使用する使用者に対して、放熱器からの温感又は冷感を効果的に生じさせることができる。
【００３３】
請求項９に記載の構成によれば、熱媒体用配管を長く引き回す必要がなくなる。
【図面の簡単な説明】
【００３４】
【図１】本実施形態に係る空調システムが適用された建物の構成を示す概略図である。
【図２】本実施形態に係るトイレの冷暖房システムの構成を示す概略図である。
【図３】本実施形態に係る熱媒体用配管の第１配管の構成を示す断面図である。
【図４】本実施形態に係るトイレの配管構成を示す平断面図である
【発明を実施するための形態】
【００３５】
以下に、本発明に係る実施形態の一例を図面に基づき説明する。
【００３６】
（空調システム１０の構成）
まず、温調設備としての空調システム１０の構成を説明する。図１は、本実施形態に係る空調システム１０が適用された建物１００の構成を示す概略図である。
【００３７】
空調システム１０が適用された建物１００は、例えば、２階建て構造とされている。建物１００の各階には、例えば、複数の居室１０２と廊下１０４とが配置されている。建物１００の２階には、トイレ１０６が配置されている。なお、１階の廊下１０４部分と、２階の廊下１０４部分との間には、昇降用の階段１０５が設置されている。なお、建物１００には、図示しない玄関ホール、脱衣室等も設けられている。
【００３８】
各居室１０２のドア１０８には、アンダーカット１１０が形成されている。このアンダーカット１１０を通じて、居室１０２内の空気が居室１０２外へ流通可能となっている。なお、居室１０２の壁部１１２に形成された開口部１１４を通じて、居室１０２内の空気が居室１０２外へ流通可能となっていてもよい。
【００３９】
空調システム１０は、２つの室外機１２、３０と、２つの室内機１４、３２と、を有している。２つの室外機１２、３０は、建物１００の外側に配置されている。室内機１４は、建物１００の１階部分に配置されている。室内機３２は、建物１００の屋根裏部分、すなわち、２階部分の上方に配置されている。
【００４０】
室外機１２及び室内機１４には、室外機１２と室内機１４との間で熱媒体を循環させる熱媒体用配管１６が接続されている。この熱媒体用配管１６は、ガス（気体）状態の熱媒体が流通する第１配管２１と、液体状態の熱媒体が流通する第２配管２２とで構成されている。
【００４１】
また、室内機１４には、建物１００内の空気を取り込むための取込口１８が設けられている。この取込口１８は、建物１階の廊下１０４で開口している。取込口１８には、空気の取り込み量を調整するためのルーバー２０が取り付けられている。取込口１８から取り込まれた空気は、室内機１４内において、熱媒体用配管１６を循環する熱媒体との熱交換によって冷却又は加熱されるようになっている。
【００４２】
さらに、室内機１４には、室内機１４内で冷却又は加熱された空気を建物１００内の１階部分で吹き出す（排出する）ための吹出ダクト２４が接続されている。吹出ダクト２４は、主管２４Ａと、主管２４Ａと連通する複数の枝管２４Ｂと、を有して構成されている。各枝管２４Ｂは、１階の各居室１０２に接続されており、１階の各居室１０２で開口する吹出口２８を有している。これにより、１階の各居室１０２に対して、室内機１４内で冷却又は加熱された空気が、吹出口２８を通じて排出されるようになっている。なお、吹出口２８には、格子状のグリル２９が設置されている。
【００４３】
また、室内機１４には、操作部としてのコントローラ２６が接続されている。コントローラ２６は、室外機１２及び室内機１４の稼働（暖房運転又は冷房運転）及びその停止の操作や、建物１００の１階内の温度設定が可能となっている。この設定温度に近づくように、建物１００の１階内に設置された温度センサ（図示省略）の測定結果に基づき、吹出口２８からの空気の吹き出し量などが制御されるようになっている。
【００４４】
一方、室外機３０及び室内機３２には、室外機３０と室内機３２との間で熱媒体を循環させる熱媒体用配管３４が接続されている。熱媒体用配管３４は、ガス（気体）状態の熱媒体が流通する第１配管５１と、液体状態の熱媒体が流通する第２配管５２とで構成されている。
【００４５】
この熱媒体用配管３４は２階のトイレ１０６を通過するようになっている。すなわち、熱媒体用配管３４は、トイレ１０６を経由して室外機３０から室内機３２へ接続されている。
【００４６】
室内機３２には、建物１００内の空気を取り込むための取込口３６を有する取込ダクト３８が接続されている。取込口３６は、建物２階の廊下１０４で開口している。この取込口３６から取り込まれた空気は、室内機３２内において、熱媒体用配管３４を循環する熱媒体との熱交換によって冷却又は加熱されるようになっている。
【００４７】
さらに、室内機３２には、室内機３２内で冷却又は加熱された空気を吹き出す吹出口４０を有する吹出ダクト４２が複数接続されている。各吹出口４０は、２階の各居室１０２で開口している。これにより、各居室１０２に対して、室内機３２内で冷却又は加熱された空気が、吹出口４０を通じて排出されるようになっている。なお、吹出口４０には、格子状のグリル４１が設置されている。
【００４８】
また、吹出口４０（吹出口２８）は、建物１００内のトイレ１０６を除く部分であれば、建物１００の２階のいずれの箇所に開口していてもよい。同様に、建物１００の１階で開口する吹出口２８も、建物１００内のトイレ１０６を除く部分であれば、建物１００の１階のいずれの箇所に開口していてもよい。なお、吹出口４０、２８をトイレ１０６に設けないのは、空気の循環によって臭気が拡散してしまうのを防止するためである。
【００４９】
また、室内機３２には、操作部としてのコントローラ４４が接続されている。コントローラ４４は、室外機３０及び室内機３２の稼働（暖房運転又は冷房運転）及びその停止の操作や、建物１００の２階内の温度設定が可能となっている。この設定温度に近づくように、建物１００の２階内に設置された温度センサ（図示省略）の測定結果に基づき、吹出口４０からの空気の吹き出し量などが制御されるようになっている。なお、空調システム１０における暖房運転及び冷房運転の各動作については、後述する。
【００５０】
（トイレ１０６の冷暖房システム６０）
次に、トイレ１０６の冷暖房システム６０（温調設備の一例）について説明する。図２は、トイレ１０６の冷暖房システム６０の構成を示す概略図である。
【００５１】
トイレ１０６の冷暖房システム６０は、図２に示されるように、流体としての循環水（不凍液）を循環させる循環配管６２と、循環配管６２の循環水と熱媒体用配管３４の熱媒体とで熱交換する熱交換器６４と、熱交換がなされた循環水によって冷却又は加熱され輻射によりトイレ１０６の室内を冷暖房する放熱器６６と、を備えている。この循環配管６２、熱交換器６４及び放熱器６６は、トイレ１０６内に設けられている。
【００５２】
具体的には、循環配管６２は、循環水を第１配管５１と放熱器６６との間で循環させるようになっている。循環配管６２は、第１配管５１の長手方向一部５１Ａで、第１配管５１の外周に沿って形成された流路６２Ａを含んで構成されている。これにより、循環水６９は、図３（Ａ）に示されるように、第１配管５１の外周を覆う断熱材６８と、第１配管５１との間を流通するようになっている。
【００５３】
なお、第１配管５１の長手方向一部５１Ａ以外の部分では、図３（Ｂ）に示されるように、断熱材６８と第１配管５１との間に空気層６７が形成されており、第１配管５１の長手方向一部５１Ａと、長手方向一部５１Ａ以外の部分とは、同一径とされている。また、流路６２Ａが設けられた第１配管５１の長手方向一部５１Ａは、例えば、第１配管５１の全長２０ｍに対して、１ｍ程度とされる。
【００５４】
循環配管６２には、循環水を循環させるための循環流を発生させる循環ポンプ７０が設けられている。また、循環配管６２には、循環水が熱膨張した際の圧力変動を吸収するための膨張タンク７２が設けられている。
【００５５】
熱交換器６４は、断熱材６８と第１配管５１との間において、第１配管５１の外周で流通する循環水と熱媒体とで熱交換するようになっている。すなわち、室内機３２において暖房運転されている場合には、後述のように、高温高圧のガスとされた熱媒体が第１配管５１を流通し、その熱媒体の熱が循環水に移動して、循環水が加熱されるようになっている。また、室内機３２において冷房運転されている場合には、後述のように、低温低圧のガスとされた熱媒体が第１配管５１を流通し、その熱媒体へ循環水の熱が移動して、循環水が冷却されるようになっている。なお、暖房運転時における第１配管５１の表面温度は、例えば、５０〜６０℃とされる。また、冷房運転時における第１配管５１の表面温度は、例えば、０〜１０℃とされる。
【００５６】
放熱器６６は、便器１１７の側方にある腰壁１１８に設けられている。放熱器６６は、例えば、アルミニウム等の熱伝導性に優れたパネル（板材）６６Ｂを有する熱放出部としての放熱チャンバ６６Ａを備えている。放熱チャンバ６６Ａは、薄型箱状（薄型の四角管状）に形成されている。放熱器６６では、放熱チャンバ６６Ａ内部に取り込まれた循環水によってパネル６６Ｂが加熱又は冷却され、パネル６６Ｂからの輻射によりトイレ１０６の室内を冷暖房するようになっている。すなわち、放熱器６６では、パネル６６Ｂからトイレ１０６室内に対して、温熱又は冷熱が放射（放出）されるようになっている。
【００５７】
また、放熱器６６の近傍には、循環ポンプ７０の稼働（暖房運転又は冷房運転）及びその停止を操作するための操作部７４が設けられている。
【００５８】
なお、熱媒体用配管３４（第１配管５１及び第２配管５２）は、図４に示されるように、便器１１７へ給水するためのトイレ用給水配管８０及び、便器１１７からの汚水を排出するためのトイレ用汚水配管８２と共に、トイレ１０６の側部に設けられた配管スペース８４に配置されている。
【００５９】
（本実施形態に係る作用）
次に、本実施形態に係る作用として、空調システム１０における暖房運転及び冷房運転の各動作（トイレ１０６の冷暖房システム６０における暖房運転及び冷房運転の各動作を含む）について説明する。
【００６０】
（暖房運転動作）
本実施形態に係る空調システム１０では、例えば、以下のように、ヒートポンプ式の暖房運転がなされる。すなわち、コントローラ４４を通じて、室外機３０及び室内機３２による暖房運転が指示されると、室外機３０に内蔵されたコンプレッサーによって、熱媒体が高温高圧のガスに圧縮される。この高温高圧のガスは、第１配管５１を流通して室内機３２に送られる。室内機３２に内蔵された熱交換器において、高温高圧のガスと、取込口３６から取り込まれた空気との間で熱交換が行われる。これにより、取込口３６から取り込まれた空気は、加熱される。この加熱された空気は、各吹出ダクト４２を通じ、各吹出口４０から各居室１０２へ排出される。これにより、各居室１０２（建物内１００におけるトイレ１０６を除く部分）が暖房される。
【００６１】
各居室１０２への加熱空気の排出に伴って、居室１０２内の空気の一部が、ドア１０８のアンダーカット１１０などを通じて居室１０２の外部（廊下１０４）へ排出される。廊下１０４へ排出された空気は、取込口３６から取り込まれ、再び、室内機３２に内蔵された熱交換器において、高温高圧のガス状態の熱媒体との間で熱交換されて加熱される。この加熱された空気は、再び、各吹出ダクト４２を通じ、各吹出口４０から各居室１０２へ排出される。このように、空気が加熱されつつ、循環するようになっている。
【００６２】
なお、高温高圧のガス状態の熱媒体は、室内機３２で熱交換されることで、低温高圧の液体に状態変化する。この低温高圧の液体は、第２配管５２を通じて室内機３２から室外機３０に戻される。低温高圧の液体は、室外機３０内で低温低圧のガスとなってから、再び、コンプレッサーによって、高温高圧のガスに圧縮され、第１配管５１を流通して室内機３２に送られる。なお、建物１００の１階部分においても、コントローラ２６を通じて、室外機１２及び室内機１４による暖房運転が指示されることで、上記と同様に暖房運転が行われる。
【００６３】
ここで、トイレ１０６の冷暖房システム６０における操作部７４を通じて、循環ポンプ７０の稼働（暖房運転）が指示されると、循環ポンプ７０が駆動し、循環水が循環配管６２を循環する。第１配管５１の長手方向一部５１Ａにおいて、熱交換器６４によって、第１配管５１を流通する高温高圧のガス状態の熱媒体と、循環水とで熱交換される。これにより、循環水が加熱される。加熱された循環水は、放熱器６６内へ送られる。この加熱された循環水によって、放熱器６６のパネル６６Ｂが加熱され、パネル６６Ｂからの輻射によりトイレ１０６の便器１１７の側面が局所的に暖房される。
【００６４】
このように、第１配管５１を流通する熱媒体の熱の一部を熱交換器６４（循環配管６２）にて回収し、その熱を放熱器６６に移動させ、放熱器６６にて輻射熱によりトイレ１０６の室内を暖房する。
【００６５】
（冷房運転動作）
本実施形態に係る空調システム１０では、例えば、以下のように、ヒートポンプ式の冷房運転がなされる。すなわち、コントローラ４４を通じて、室外機３０及び室内機３２による冷房運転が指示されると、室外機３０に内蔵されたコンプレッサーによって、熱媒体が高温高圧のガスに圧縮される。この高温高圧のガスは、室外機３０に内蔵された熱交換において、大気と熱交換されて、低温高圧の液体に状態変化する。この低温高圧の液体は、第２配管５２を通じて室外機３０から室内機３２へ送られる。
【００６６】
この低温高圧の液体は、室内機３２に内蔵された熱交換器及び膨張弁によって、気化される。このときの気化熱を利用して、取込口３６から取り込まれた空気が冷却される。この冷却された空気は、各吹出ダクト４２を通じ、各吹出口４０から各居室１０２へ排出される。これにより、各居室１０２が冷房される。
【００６７】
各居室１０２への冷却空気の排出に伴って、居室１０２内の空気の一部が、ドア１０８のアンダーカット１１０などを通じて居室１０２の外部（廊下１０４）へ排出される。廊下１０４へ排出された空気は、取込口３６から取り込まれ、再び、室内機３２内で冷却される。この冷却された空気は、再び、各吹出ダクト４２を通じ、各吹出口４０から各居室１０２へ排出される。このように、空気が冷却されつつ、循環するようになっている。
【００６８】
なお、低温高圧の液体状態の熱媒体は、室内機３２内で気化することで、低温低圧のガスに状態変化する。この低温低圧のガスは、第１配管５１を通じて室内機３２から室外機３０に戻される。低温低圧のガスは、再び、コンプレッサーによって、高温高圧のガスに圧縮され、室外機３０に内蔵された熱交換において、大気と熱交換されて、低温高圧の液体となって、第２配管５２を通じて室内機３２へ送られる。なお、建物１００の１階部分においても、コントローラ２６を通じて、室外機１２及び室内機１４による冷房運転が指示されることで、上記と同様に冷房運転が行われる。
【００６９】
ここで、トイレ１０６の冷暖房システム６０における操作部７４を通じて、循環ポンプ７０の稼働（冷房運転）が指示されると、循環ポンプ７０が駆動し、循環水が循環配管６２を循環する。第１配管５１の長手方向一部５１Ａにおいて、熱交換器６４によって、第１配管５１を流通する低温低圧のガス状態の熱媒体と、循環水とで熱交換される。これにより、循環水が冷却される。冷却された循環水は、放熱器６６内へ送られる。この冷却された循環水によって、放熱器６６のパネル６６Ｂが冷却され、パネル６６Ｂからの輻射により、トイレ１０６の便器１１７の側面が局所的に冷房される。
【００７０】
以上のように、本実施形態の構成によれば、熱媒体用配管３４を通じて流通する熱媒体と、循環配管６２を循環する循環水とで熱交換される。この熱交換がなされた循環水によって、放熱器６６のパネル６６Ｂが冷却又は加熱され、輻射によりトイレ１０６の室内が冷暖房される。すなわち、本実施形態の構成では、熱媒体用配管３４を通じて室外機３０と室内機３２との間を流通する熱媒体を有効利用して、トイレ１０６の冷暖房を行うことができる。
【００７１】
また、本実施形態では、空調（空気の循環）によらず、輻射によりトイレ１０６を冷暖房するので、トイレ１０６の臭気が拡散するのを抑制できる。
【００７２】
また、本実施形態の構成によれば、空調用の熱媒体用配管３４を通じて流通する熱媒体を利用して、トイレ１０６の室内を冷暖房するため、トイレ１０６の室内の冷暖房専用に熱媒体配管を設ける場合に比べ、部品点数が増加することなく、トイレ１０６の冷暖房を行うことができる。
【００７３】
また、本実施形態の構成によれば、循環配管６２を通じて、循環水を熱媒体用配管３４と放熱器６６との間で循環させることで、熱媒体と放熱器６６との間での熱移動を円滑に行うことができる。
【００７４】
また、本実施形態の構成によれば、循環水が、熱媒体用配管３４と断熱材６８との間に挟まれるので、循環水における熱損失が抑制される。
【００７５】
また、本実施形態の構成によれば、操作者が、放熱器６６の近傍で操作部７４を操作することになるので、放熱器６６からの温感又は冷感を操作者が受けながら、操作部７４を操作することができる。
【００７６】
また、本実施形態の構成によれば、熱媒体用配管３４が、トイレ用給水配管８０及びトイレ用汚水配管８２と共に、トイレ１０６の側部に設けられた配管スペース８４に集約される。このため、省スペース化が図れる。
【００７７】
本実施形態の構成によれば、放熱器６６が、便器１１７の側方にある腰壁１１８に設けられているので、便器１１７を使用する使用者に対して、放熱器６６からの温感又は冷感を効果的に生じさせることができる。
【００７８】
また、本実施形態の構成によれば、建物２階の上方の室内機３２に接続された熱媒体用配管３４を、建物２階のトイレ１０６に経由させるので、建物１階の室内機３２に接続された熱媒体用配管３４をトイレ１０６に経由させる場合に比べ、熱媒体用配管３４を長く引き回す必要がなくなる。
【００７９】
（変形例）
本実施形態では、トイレ１０６が建物１００の２階に設置されているため、熱媒体用配管３４を長く引き回す必要がないように、建物１００の２階の上方に設置された室内機３２に接続された熱媒体用配管３４（第１配管５１）をトイレ１０６に経由させてトイレ１０６の冷暖房を行った。トイレ１０６が建物１００の１階に設置されている場合では、熱媒体用配管３４（第１配管５１）をトイレ１０６に経由させてもよいし、建物１００の１階に設置された室内機１４に接続された熱媒体用配管１６（第１配管２１）をトイレ１０６に経由させてトイレ１０６の冷暖房を行ってもよい。
【００８０】
本発明は、上記の実施形態に限るものではなく、種々の変形、変更、改良が可能である。
【符号の説明】
【００８１】
３０   室外機
３２   室内機
３４   熱媒体用配管
６０   トイレの冷暖房システム（温調設備の一例）
６２   循環配管
６４   熱交換器
６６   放熱器
６８   断熱材
７０   循環ポンプ
７４   操作部
８０   トイレ用給水配管
８２   トイレ用汚水配管
８４   配管スペース
１００ 建物
１０６ トイレ
１１７ 便器
１１８ 腰壁
【図１】
2014137175.tif 000003
【図２】
2014137175.tif 000004
【図３】
2014137175.tif 000005
【図４】
2014137175.tif 000006